(57)【要約】【課題】交流化駆動方法により生じる画質低下を抑制して高品質の映像表示を可能とする。【解決手段】各画素が、画素電極と、対向電極とを有し、前記画素電極に対して前記対向電極に印加する対向電圧よりも高電位の映像電圧を印加するときを正極性の駆動状態、また、前記画素電極に対して前記対向電極に印加する対向電圧よりも低電位の映像電圧を印加するときを負極性の駆動状態とするとき、前記駆動回路は、前記各画素の駆動状態として、ｍ（ｍ≧１）フレーム毎に、正極性の駆動状態から負極性の駆動状態、あるいは、負極性の駆動状態から正極性の駆動状態へ変化させるとともに、Ｎ（Ｎ≧ｍ）フレーム毎に、前記各画素の駆動状態の位相を反転させる液晶表示装置において、前記駆動回路は、前記位相反転直後の最初のフレームに、入力される表示データとは異なる階調補正表示データを出力する。【選択図】図１
2007225861.tif 000002
【特許請求の範囲】
【請求項１】
複数の画素を有する液晶表示パネルと、
前記複数の画素の各画素を駆動する駆動回路とを備え、
前記各画素は、画素電極と、対向電極とを有し、
前記画素電極に対して前記対向電極に印加する対向電圧よりも高電位の映像電圧を印加するときを正極性の駆動状態、また、前記画素電極に対して前記対向電極に印加する対向電圧よりも低電位の映像電圧を印加するときを負極性の駆動状態とするとき、前記駆動回路は、前記各画素の駆動状態として、ｍ（ｍ≧１）フレーム毎に、正極性の駆動状態から負極性の駆動状態、あるいは、負極性の駆動状態から正極性の駆動状態へ変化させるとともに、Ｎ（Ｎ≧ｍ）フレーム毎に、前記各画素の駆動状態の位相を反転させる液晶表示装置において、
前記駆動回路は、前記位相反転直後の最初のフレームに、入力される表示データとは異なる階調補正表示データを出力することを特徴とする液晶表示装置。
【請求項２】
前記階調補正表示データは、前記入力される表示データに対応する階調よりも、低い階調に対応する表示データであることを特徴とする請求項１に記載の液晶表示装置。
【請求項３】
前記入力される表示データと前記階調補正表示データとの差は、中間階調の表示データの方が、高階調、あるいは低階調の表示データよりも大きいことを特徴とする請求項２に記載の液晶表示装置。
【請求項４】
前記入力される表示データ毎に補正量を格納するメモリを有し、
前記駆動回路は、前記入力される表示データから、前記メモリに格納された補正量を減算し、前記階調補正表示データを生成し、出力することを特徴とする請求項１ないし請求項３のいずれか１項に記載の液晶表示装置。
【請求項５】
前記入力される表示データ毎に、前記階調補正表示データを格納するメモリを有し、
前記駆動回路は、前記入力される表示データに対応する前記階調補正表示データを、前記メモリから読み出し、前記階調補正表示データを生成し、出力することを特徴とする請求項１ないし請求項３のいずれか１項に記載の液晶表示装置。
【請求項６】
前記メモリは、ＥＰＲＯＭであることを特徴とする請求項４または請求項５に記載の液晶表示装置。
【請求項７】
前記ｍは、１であることを特徴とする請求項１ないし請求項６のいずれか１項に記載の液晶表示装置。
【請求項８】
前記対向電極に印加する対向電圧は、一定の電圧であることを特徴とする請求項１ないし請求項７のいずれか１項に記載の液晶表示装置。
【請求項９】
前記液晶表示パネルは、液晶を挟持する一対の基板を有し、
前記画素電極と、前記対向電極は、前記一対の基板の一方の基板上に形成されていることを特徴とする請求項１ないし請求項８のいずれか１項に記載の液晶表示装置。
【発明の詳細な説明】
【技術分野】
【０００１】
本発明は、液晶表示装置に係り、特に、交流化駆動方法により生じる画質低下を抑制して高品質の映像表示を可能とした液晶表示装置に関する。
【背景技術】
【０００２】
コンピュータやその他の情報機器の高精細度カラーモニター、あるいはテレビ受像機の表示デバイスとして、液晶表示モジュールが使用される。
液晶表示モジュールは、基本的には、少なくとも一方が透明なガラス等からなる二枚の（一対の）基板の間に、液晶を挟持した、所謂、液晶表示パネルを有し、この液晶表示パネルの基板に形成した画素形成用の各種電極に選択的に電圧を印加して、所定画素の点灯と消灯を行うもので、コントラスト性能、高速表示性能に優れている。
図６は、従来の液晶表示モジュールの概略構成を示すブロック図である。
図６に示す液晶表示モジュールは、液晶表示パネル１、ゲート・ドライバ部２、ソース・ドライバ部３、表示制御回路４、電源回路５で構成される。
ゲート・ドライバ部２、ソース・ドライバ部３は、液晶表示パネル１の周辺部に設置される。ゲート・ドライバ部２は、液晶表示パネル１の一辺に配置された複数のゲート・ドライバＩＣから構成される。また、ソース・ドライバ部３は、液晶表示パネル１の他の辺に配置された複数のソース・ドライバＩＣから構成される。
【０００３】
表示制御回路４は、パソコンやテレビ受信回路等の表示信号源（ホスト側）から入力する表示信号を、データの交流化等、液晶表示パネル１の表示に適したタイミング調整を行い、表示形式の表示データに変換して同期信号（クロック信号）と共にゲート・ドライバ部２、ソース・ドライバ部３に入力する。
ゲート・ドライバ部２とソース・ドライバ部３は、表示制御回路４の制御の基に走査線に走査電圧を供給し、また、映像線に映像電圧を供給して映像を表示する。電源回路５は液晶表示装置に要する各種の電圧を生成する。
図７は、図６に示す液晶表示パネル１の画素部の等価回路を示す図である。なお、同図は、実際の画素の幾何学的配置に対応しており、有効表示領域（画素部）にマトリクス状に配置される複数のサブピクセルは、１サブピクセル当たり１つの薄膜トランジスタ（ＴＦＴ）で構成したものである。
図７において、ＤＲ，ＤＧ，ＤＢは、映像線（ドレイン線、ソース線ともいう）、Ｇは走査線（ゲート線ともいう）、Ｒ，Ｇ，Ｂは各色（赤、緑、青）の画素電極（ＩＴＯ１）であり、ＩＴＯ２は対向電極（コモン電極）、Ｃｌｃは液晶層を等価的に示す液晶容量、Ｃｓｔｇは、共通信号線（ＣＯＭ）とソース電極の間に形成された保持容量である。
【０００４】
図６に示す液晶表示パネル１において、列方向に配置された各画素の薄膜トランジスタ（ＴＦＴ）のドレイン電極は、それぞれ映像線（ＤＲ，ＤＧ，ＤＢ）に接続され、各映像線（Ｄ）は列方向に配置された画素に、表示データに対応する映像電圧を供給するソース・ドライバ部３に接続される。
また、行方向に配置された各画素における薄膜トランジスタ（ＴＦＴ）のゲート電極は、それぞれ走査線（Ｇ）に接続され、各走査線（Ｇ）は、１水平走査時間、薄膜トランジスタ（ＴＦＴ）のゲートに走査電圧（正または負のバイアス電圧）を供給するゲート・ドライバ部２に接続される。
液晶表示パネル１に画像を表示する際、ゲート・ドライバ部２は、走査線（Ｇ０，Ｇ１，...Ｇｊ，Ｇｊ＋１）を上から下に向かって（Ｇ０→Ｇ１...の順番で）選択し、一方で、ある走査線の選択期間中に、ソース・ドライバ部３は、表示データに対応する映像電圧を、映像線（ＤＲ，ＤＧ，ＤＢ）に供給し、画素電極（ＩＴＯ１）に印加する。
ここでは、各画素に供給される映像電圧が、大きくなるほど高い輝度を示す、所謂、ノーマリ黒表示モード（Normally Black-displaying Mode）で動作することを前提とする。
映像線（Ｄ）に供給された電圧は、薄膜トランジスタ（ＴＦＴ）を経由して、画素電極（ＩＴＯ１）に印加され、最終的に、保持容量（Ｃｓｔｇ）と、液晶容量（Ｃｌｃ）に電荷がチャージされ、液晶分子をコントロールすることにより画像が表示される。
【０００５】
先の動作を、タイミング波形を踏まえて以下に説明する。
図８は、図６に示す液晶表示モジュールにおいて、ゲート・ドライバ部２から走査線（Ｇ）に出力される電圧波形と、ソース・ドライバ部３から出力される映像電圧（ＶＤ）の映像線上の電圧波形を示す図である。
図８に示すクロック（ＣＬ１）は、出力タイミングを制御するクロックであり、ソース・ドライバ部３は、クロック（ＣＬ１）の立ち下がり時点から、表示データに対応した映像電圧（図８のＶＤ）を映像線（ＤＲ，ＤＧ，ＤＢ）に対して出力する。なお、図８では、白を表示する場合の、映像電圧（ＶＤ）の電圧波形を示してある。
映像線（ＤＲ，ＤＧ，ＤＢ）に供給される映像電圧（ＶＤ）は、図７の液晶容量（Ｃｌｃ）に直流電圧が印加されることを防止するため、一水平走査期間（１Ｈ）毎に、対向電極（ＩＴＯ２）に印加されるコモン電圧（ＶＣＯＭ）に対して高電位の映像電圧（以下、正極性（＋）の映像電圧）と、コモン電圧（ＶＣＯＭ）に対して低電位の映像電圧（以下、負極性（−）の映像電圧）とに、極性を切り替えて交流化駆動する。なお、図８は、この交流化駆動方法として、コモン対称法の一つであるドット反転法を採用した場合について図示している。
【０００６】
一方、ゲート・ドライバ部２からは、走査線（Ｇ０，Ｇ１，...Ｇｊ，Ｇｊ＋１）の垂直走査の順に、一水平走査期間（１Ｈ）の間、Ｈｉｇｈレベル（以下、Ｈレベル）の走査電圧（ＶＧ）を印加し、走査線に接続された全ての薄膜トランジスタ（ＴＦＴ）をオンの状態、即ち、選択状態とすることで、ソース・ドライバ部３から出力された映像電圧（ＶＤ）を、液晶容量（Ｃｌｃ）と保持容量（Ｃｓｔｇ）に印加する。
逆に、Ｌｏｗレベル（以下、Ｌレベル）の走査電圧（ＶＧ）の場合、走査線（Ｇ０，Ｇ１，...Ｇｊ，Ｇｊ＋１）に接続された全ての薄膜トランジスタ（ＴＦＴ）はオフ状態、即ち、非選択状態となる。
映像電圧（ＶＤ）は、図８に示す通り、映像電圧（ＶＤ）の立ち上がり、立ち下がりの過程において、映像線（ＤＲ，ＤＧ，ＤＢ）の配線抵抗と液晶容量（Ｃｌｃ）の時定数にしたがって、波形が鈍るため、映像電圧（ＶＤ）が十分に飽和した状態になった後で、走査電圧（ＶＧ）を選択期間のＨレベルの電圧から、非選択期間のＬレベルの電圧とする。
例えば、図８の水平走査期間（Ｎ）においては、正極性の映像電圧（ＶＤ）が十分に飽和した時点から、次の水平走査期間（Ｎ＋１）の映像電圧（ＶＤ）が出力されるクロック（ＣＬ１）の立ち下がり時点までに、わずかな時間差（ゲート遅延時間；Ｔｇｄ）を設けて、走査電圧（ＶＧ）をＨレベルの電圧からＬレベルの電圧とする。
【発明の開示】
【発明が解決しようとする課題】
【０００７】
図９は、従来の液晶表示モジュールにおいて、垂直走査期間（以下、フレームという）毎に、白と黒を交互に表示した場合の、ある画素における画素極性及び画素電圧レベルを簡易的に表した模式図である。
図９に示す様に、負極性時「白表示」、正極性時「黒表示」といった液晶の交流化周期に合わせて映像電圧が変化した場合、画素電圧は、コモン電圧（ＶＣＯＭ）に対して、正極性側（プラス側）に偏り、液晶に対して実効値として直流が印加されるパターンとなる。
特に、このパターンは、動画映像を表示する場合に良く発生し、常時、液晶に直流信号が印加されるため、表示品位を低下させると共に、液晶自体の寿命を著しく低下させる。また、フレーム毎に、白と黒の映像が交互に変化する表示データは、テレビ信号などのインターレース（飛越）走査信号を液晶駆動でのプログレッシプ（順次）走査に変換する際に良く起こり、例えば、液晶表示モジュールにテレビ映像やＤＶＤ映像を表示して観賞す場合、液晶の駆動電圧の偏りが発生し、画質劣化を引き起こす原因となる。
【０００８】
図１０は、図９に示す交流化駆動方法において、ある一定周期（期間Ａ，期間Ｂ）で画素極性の位相を反転した場合のフレーム毎の画素極性を表す。
図１０に示す位相反転信号によって、期間Ａの第１フレームの画素電圧は、正極性（＋）となり、期間Ｂは負極性（−）から電圧が開始されるため、期間Ａと期間Ｂの各区間における画素極性を比較すると、全て正極（＋）、負極性（−）の反対の極性となる。
以下、本明細書では、この交流化駆動方法を、位相反転駆動法と称する。
図１１は、この位相反転駆動法において、フレーム毎に、白と黒を交互に表示した場合の、ある画素における画素極性及び画素電圧レベルを簡易的に表した模式図である。
図１１に示す様に、位相反転駆動法によって、コモン電位（ＶＣＯＭ）より、負極性側（マイナス側）に偏っていた画素電圧は、位相反転後、正極性側（プラス側）に偏ることとなる。
このように、画素電圧の偏りを、ある一定周期で、正極性側、および、負極性側になるように交流化駆動することで、結果として液晶に印加される実効的な直流電圧を低減することができる。
【０００９】
一方、図１１に示す第Ｎフレーム目の画素極性と、位相反転切替え後の第１フレームの画素極性に着目すると、正極性（プラス（＋））の画素極性が連続する。同一の画素極性の連続は、位相反転の切替えタイミングによっては、｛（−）→（−）｝又は｛（＋）→（＋）｝となる場合がある。
そして、画素極性が連続する場合、液晶駆動（交流化）条件が見かけ上変わるため、副作用として表示画面にフリッカ（輝度が上昇する現象）が発生する。
フリッカは、図１０で示した位相反転信号の切替えタイミング、即ち、位相反転信号の立ち上がり、および立ち下がり直後の第１フレームに発生する。結果として、位相反転駆動においては、液晶に直流電圧が印加されるのを防止する効果がある一方、副作用としてフリッカが発生し、表示品位を低下させる問題点がある。
本発明は、前記従来技術の問題点を解決するためになされたものであり、本発明の目的は、液晶表示装置において、交流化駆動方法により生じる画質低下を抑制して高品質の映像表示が可能となる技術を提供することにある。
本発明の前記ならびにその他の目的と新規な特徴は、本明細書の記述及び添付図面によって明らかにする。
【課題を解決するための手段】
【００１０】
本願において開示される発明のうち、代表的なものの概要を簡単に説明すれば、下記の通りである。
（１）複数の画素を有する液晶表示パネルと、前記複数の画素の各画素を駆動する駆動回路とを備え、前記各画素は、画素電極と、対向電極とを有し、前記画素電極に対して前記対向電極に印加する対向電圧よりも高電位の映像電圧を印加するときを正極性の駆動状態、また、前記画素電極に対して前記対向電極に印加する対向電圧よりも低電位の映像電圧を印加するときを負極性の駆動状態とするとき、前記駆動回路は、前記各画素の駆動状態として、ｍ（ｍ≧１）フレーム毎に、正極性の駆動状態から負極性の駆動状態、あるいは、負極性の駆動状態から正極性の駆動状態へ変化させるとともに、Ｎ（Ｎ≧ｍ）フレーム毎に、前記各画素の駆動状態の位相を反転させる液晶表示装置において、前記駆動回路は、前記位相反転直後の最初のフレームに、入力される表示データとは異なる階調補正表示データを出力することを特徴とする。
（２）（１）において、前記階調補正表示データは、前記入力される表示データに対応する階調よりも、低い階調に対応する表示データである。
（３）（２）において、前記入力される表示データと前記階調補正表示データとの差は、中間階調の表示データの方が、高階調、あるいは低階調の表示データよりも大きい。
【００１１】
（４）（１）ないし（３）の何れかにおいて、前記入力される表示データ毎に補正量を格納するメモリを有し、前記駆動回路は、前記入力される表示データから、前記メモリに格納された補正量を減算し、前記階調補正表示データを生成し、出力する。
（５）（１）ないし（３）の何れかにおいて、前記入力される表示データ毎に、前記階調補正表示データを格納するメモリを有し、前記駆動回路は、前記入力される表示データに対応する前記階調補正表示データを、前記メモリから読み出し、前記階調補正表示データを生成し、出力する。
（６）（４）または（５）において、前記メモリは、ＥＰＲＯＭである。
（７）（１）ないし（６）の何れかにおいて、前記ｍは、１である。
（８）（１）ないし（７）の何れかにおいて、前記対向電極に印加する対向電圧は、一定の電圧である。
（９）（１）ないし（８）の何れかにおいて、前記液晶表示パネルは、液晶を挟持する一対の基板を有し、前記画素電極と、前記対向電極は、前記一対の基板の一方の基板上に形成されている。
【発明の効果】
【００１２】
本願において開示される発明のうち代表的なものによって得られる効果を簡単に説明すれば、下記の通りである。
本発明の液晶表示装置によれば、交流化駆動方法により生じる画質低下を抑制して高品質の映像表示が可能となる。
【発明を実施するための最良の形態】
【００１３】
以下、図面を参照して本発明の実施例を詳細に説明する。
なお、実施例を説明するための全図において、同一機能を有するものは同一符号を付け、その繰り返しの説明は省略する。
［実施例１］
図１は、本発明の実施例１の液晶表示モジュールの表示制御回路４の概略構成を示すブロック図である。なお、本実施例の液晶表示モジュールにおいて、表示制御回路４以外の構成（液晶表示パネル１、ゲート・ドライバ部２、ソース・ドライバ部３、および電源回路５）は、前述した図６に示す従来の液晶表示モジュールと同じであるので再度の説明は省略する。
本実施例では、表示制御回路４が、階調補正回路１０と、入力される表示データの補正量が格納されるＥＰＲＯＭ（Erasable and Programmable Read Only Memory)１１とを有する。
位相反転信号の変化が無い場合は、表示制御回路４は通常通り、入力される表示データに、補正を施さないで、入力された表示データをそのままソース・ドライバ３に出力する。
また、位相反転信号の変化が検出された場合は、表示制御回路４は、入力された表示データに、入力された表示データに応じた補正量をＥＰＲＯＭ１１から読出し、入力された表示データに演算処理を施して階調補正表示データを生成し、ソース・ドライバ３に出力する。
【００１４】
即ち、表示制御回路４は、位相反転駆動法における位相反転直後の最初のフレームに、下記（１）式の演算処理（減算処理）を施して、階調補正表示データを生成し、ソース・ドライバ３に出力する。
［数１］
Ｄｏ＝Ｄｉ−Ｄｒ
ここで、Ｄｉは、入力された表示データを、Ｄｒは、ＥＰＲＯＭ１１に格納されている、入力された表示データに応じた補正量、Ｄｏは、階調補正表示データである。
図２は、本実施例の液晶表示モジュールにおける、位相反転直後の最初のフレームの輝度変化量と、従来の液晶表示モジュールにおける、位相反転直後の最初のフレームの輝度変化量を示すグラフである。
なお、図２は、表示データが８ビットで、６０Ｈｚ駆動の場合の輝度変化量を示すグラフであり、横軸が表示階調、縦軸が輝度変化（％）表す。
また、図２において、Ａが、本実施例の液晶表示モジュールの輝度変化量を、Ｂが従来の液晶表示モジュールの輝度変化量を示しており、輝度変化量は、表示階調によって異なるが、従来の液晶表示モジュールでは、最大の輝度変化量が、２．５［％］であったものが、本実施例では、最大の輝度変化量が、０．５３［％］となり、輝度変化を、最大７８．８（＝（２．５−０．５３）×１００／２．５）［％］低減することが可能である。
【００１５】
図３は、本実施例の液晶表示モジュールにおいて、入力された表示データと、階調補正表示データとの関係の一例を示すグラフである。
図３において、横軸は入力階調（％）で、縦軸は出力階調（％）であり、ともに、最大階調に対する比率で表現されている。例えば、最大階調が２５６階調であれば、入力階調（％）と出力階調（％）の１００は、２５６階調を表し、また、入力階調（％）と出力階調（％）の２５は６４階調を、入力階調（％）と出力階調（％）の５０は１２８を、入力階調（％）と出力階調（％）の７５は１９２階調を表す。
さらに、図３のグラフにおいて、Ａが位相反転時に出力される階調補正表示データであり、Ｂが通常時に出力される、入力された表示データである。
この図３から分かるように、階調補正表示データ（図３のＡ）は、入力される表示データ（図３のＢ）に対応する階調よりも、低い階調電圧に対応する表示データである。そして、入力される表示データと、階調補正表示データとの差は、中間階調の表示データの方が、高階調、あるいは低階調の表示データよりも大きいことが分かる。
【００１６】
図４は、本実施例の液晶表示モジュールにおいて、白と黒の映像電圧に対するフレーム毎のある画素電圧と画素極性を模式的に表した図である。なお、図４においても、各画素に供給される映像電圧が、大きくなるほど高い輝度を示す、所謂、ノーマリ黒表示モード（Normally Black-displaying Mode）で動作することを前提としている。
各フレーム毎に白と黒を交互に表示する場合で、Ｎフレーム毎に位相反転駆動を行った場合、位相反転の切替えタイミングによって、画素極性が、｛（−）→（−）｝、あるいは、｛（＋）→（＋）｝と連続する場合がある。
本実施例では、図４に示すように、位相反転駆動法により、画素極性が、｛（−）→（−）｝、あるいは、｛（＋）→（＋）｝と連続する場合に、位相反転切替え後の第１フレームにおいて、図４のＴに示すように、画素電圧が、通常の場合よりも低くされる。
これにより、前述したように、フリッカ（輝度上昇）を防止し、さらに、液晶に印加される実効的な直流電圧を低減することができる。
【００１７】
［実施例２］
図５は、本発明の実施例２の液晶表示モジュールの表示制御回路４の概略構成を示すブロック図である。
前述の実施例では、表示制御回路４は、位相反転駆動法における位相反転直後の最初のフレームに、前述の（１）式の演算処理（減算処理）を施して、階調補正表示データを生成し、ソース・ドライバ３に出力するようにしている。
これに対して、本実施例では、ＥＰＲＯＭ１１内に、入力される各階調毎の表示データに対応する階調補正表示データを格納しておき、位相反転信号の変化が検出された場合に、表示制御回路４が、スイッチ（ＳＷ１，ＳＷ２）などで信号経路を切り替え、入カされた表示データに対応する階調補正表示データを、ＥＰＲＯＭ１１から読出して、階調補正表示データを生成し、ソース・ドライバ３に出力するようにしたものである。
また、本実施例においても、位相反転信号の変化が無い場合は、表示制御回路４は、入力された表示データをそのままソース・ドライバ３に出力する。
なお、本実施例は、表示データのデータ値（即ち、表示階調）を変化させることにより画素に印加する映像電圧を調整するものであるため、表示階調数（表示データのビット数）によって、補正できるレベルが異なる。
前述の説明では、表示データが８ビットの２５６階調に場合について説明したが、表示データが１０ビットの１０２４階調であれば、より細かい補正が行えるため、輝度の変化を更に低下させることが可能である。
【００１８】
なお、ＴＶ製品等に使用される液晶表示モジュールにおいて、オーバードライブ機能を搭載しているものでは、オーバードライブの設定値を記憶させるため、ＥＰＲＯＭが既に搭載されている。このため、このような場合には、表示制御装置内の論理回路の修正のみで、本実施例を実行することができるので、部品点数の増加なく、フリッカの対策を行うことが可能である。
また、前述の説明では、本発明を、交流化駆動方法として、対向電極（ＩＴＯ２）の電圧が一定であるコモン対称法（例えば、ドット反転法）を採用する液晶表示モジュールに適用した実施例について説明したが、本発明は、これに限定されるものではなく、交流化駆動方法として、対向電極（ＩＴＯ２）の電圧が、Ｈレベルの電圧とＬレベルの電圧とに変動するコモン反転法（例えば、１ライン反転法）を採用する液晶表示モジュールに適用可能である。
さらに、本発明は、液晶表示パネルの方式に限定されるものではなく、ＩＰＳ方式、ＶＡ方式、ＴＮ方式などの液晶表示パネルに適用可能である。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１９】
【図１】本発明の実施例１の液晶表示モジュールの表示制御回路４の概略構成を示すブロック図である。
【図２】本発明の実施例１の液晶表示モジュールにおける、位相反転直後の最初のフレームの輝度変化量と、従来の液晶表示モジュールにおける、位相反転直後の最初のフレームの輝度変化量を示すグラフである。
【図３】本発明の実施例１の液晶表示モジュールにおいて、入力された表示データと、階調補正表示データとの関係の一例を示すグラフである。
【図４】本発明の実施例１の液晶表示モジュールにおいて、白と黒の映像電圧に対するフレーム毎のある画素電圧と画素極性を模式的に表した図である。
【図５】本発明の実施例２の液晶表示モジュールの表示制御回路４の概略構成を示すブロック図である。
【図６】従来の液晶表示モジュールの概略構成を示すブロック図である。
【図７】図６に示す液晶表示パネルの画素部の等価回路を示す図である。
【図８】従来の液晶表示モジュールにおいて、ゲート・ドライバ部から走査線に出力される電圧波形と、ソース・ドライバ部から出力される映像電圧の映像線上の電圧波形を示す図である。
【図９】従来の液晶表示モジュールにおいて、フレーム毎に、白と黒を交互に表示した場合の、ある画素における画素極性及び画素電圧レベルを簡易的に表した模式図である。
【図１０】図９に示す交流化駆動方法において、ある一定周期（期間Ａ，期間Ｂ）で画素極性の位相を反転した場合のフレーム毎の画素極性を表す。
【図１１】位相反転駆動法において、フレーム毎に、白と黒を交互に表示した場合の、ある画素における画素極性及び画素電圧レベルを簡易的に表した模式図である。
【符号の説明】
【００２０】
１  液晶表示パネル
２  ゲート・ドライバ部
３  ソース・ドライバ部
４  表示制御回路  
５  電源回路
１０  階調補正回路
１１  ＥＰＲＯＭ（Erasable and Programmable Read Only Memory)
ＤＲ，ＤＧ，ＤＢ  映像線（ドレイン線、ソース線）
Ｇ  走査線（ゲート線）
ＩＴＯ１  画素電極
ＩＴＯ２  対向電極（コモン電極）
ＴＦＴ  薄膜トランジスタ
Ｃｌｃ  液晶容量
Ｃｓｔｇ  保持容量
ＣＯＭ  共通信号線。
ＳＷ１，ＳＷ２  スイッチ
【図１】
2007225861.tif 000003
【図２】
2007225861.tif 000004
【図３】
2007225861.tif 000005
【図４】
2007225861.tif 000006
【図５】
2007225861.tif 000007
【図６】
2007225861.tif 000008
【図７】
2007225861.tif 000009
【図８】
2007225861.tif 000010
【図９】
2007225861.tif 000011
【図１０】
2007225861.tif 000012
【図１１】
2007225861.tif 000013